(57)【要約】  本発明の目的は、ステッチング治具をタイヤ中間体の所定の表面部分に対して垂直な方向に押圧することが可能なステッチング装置及ステッチング方法を提供することにある。  本発明のステッチング装置は、支点部分が、タイヤ中間体のタイヤ幅方向に可動であるように構成され、あるいは、支点部分とステッチング部分とが、タイヤ中間体のタイヤ赤道面を境界として互いに反対側に位置するように構成されたものである。本発明のステッチング方法は、支点部分をステッチング動作中におけるタイヤ中間体のタイヤ幅方向に移動させる工程を含み、あるいは、ステッチング動作中に、支点部分とステッチング部分とが、ステッチング動作中におけるタイヤ中間体のタイヤ赤道面を境界として互いに反対側に位置することを特徴とする。
2015136576.tif 000002
【特許請求の範囲】
【請求項１】
タイヤ中間体にタイヤ構成部材を圧着するステッチング装置であって、
前記タイヤ中間体のタイヤ径方向に移動可能な支持部と、
前記支持部に配置された支点部分と、
一方側が前記支点部分に連結され、前記支点部分を中心として回転運動可能なアームと、
前記アームの他方側に連結された、ステッチング治具を有するステッチング部分と、を備え、
前記支点部分が、ステッチング動作中における前記タイヤ中間体のタイヤ幅方向に可動であるように構成されたことを特徴とする、ステッチング装置。
【請求項２】
タイヤ中間体にタイヤ構成部材を圧着するステッチング装置であって、
前記タイヤ中間体のタイヤ径方向に移動可能な支持部と、
前記支持部に配置された支点部分と、
一方側が前記支点部分に連結され、前記支点部分を中心として回転運動可能なアームと、
前記アームの他方側に連結された、ステッチング治具を有するステッチング部分と、を備え、
前記支点部分と前記ステッチング部分とが、前記タイヤ中間体のタイヤ赤道面を境界として互いに反対側に位置するように構成されたことを特徴とする、ステッチング装置。
【請求項３】
前記支点部分と前記ステッチング部分とが、前記タイヤ中間体のタイヤ赤道面を境界として互いに反対側に位置するように構成された、請求項１に記載のステッチング装置。
【請求項４】
前記支点部分と前記ステッチング部分とが、前記タイヤ中間体のタイヤ赤道面を境界とした同一側に位置するように構成された、請求項１に記載のステッチング装置。
【請求項５】
２つの前記支点部分を有し、
前記２つの支点部分が、同一軸上に配置され、
前記２つの支点部分が、前記同一軸上を可動である、請求項１〜４のいずれか一項に記載のステッチング装置。
【請求項６】
２つの前記支点部分を有し、
前記２つの支点部分が、異なる軸上に配置され、
前記２つの支点部分が、それぞれ前記異なる軸上を可動である、請求項１〜４のいずれか一項に記載のステッチング装置。
【請求項７】
前記支点部分が、前記ステッチング治具が前記タイヤ中間体の前記サイドウォール部の所定の位置での表面に垂直な方向から圧着可能となるように、前記タイヤ中間体の所定のタイヤ幅方向位置に移動可能であるように構成された、請求項１〜６のいずれか一項に記載のステッチング装置。
【請求項８】
前記支点部分が、前記タイヤ中間体の所定のタイヤ幅方向位置に固定されるように構成された、請求項１〜７のいずれか一項に記載にステッチング装置。
【請求項９】
前記アームを回転させるための変位付与部をさらに有し、
前記変位付与部が、前記支点部分を基準として、前記ステッチング部分の反対側に配置され、
前記支点部分から前記ステッチング部分までの前記アームの長さは、前記支点部分から前記変位付与部までの前記アームの長さより長い、請求項１〜８のいずれか一項に記載のステッチング装置。
【請求項１０】
前記アームは、前記タイヤ中間体の外輪郭に沿って屈曲した形状である、請求項１〜９のいずれか一項に記載のステッチング装置。
【請求項１１】
ステッチング動作中におけるタイヤ中間体のタイヤ径方向に移動可能な支持部を前記タイヤ中間体のタイヤ径方向に移動させながら、一方側が前記支持部に配置された支点部分に連結され、前記支点部分を中心として回転運動可能なアームの他方側に連結された、ステッチング部分のステッチング治具によって、前記タイヤ中間体にタイヤ構成部材を圧着するステッチング方法であって、
前記支点部分をステッチング動作中における前記タイヤ中間体のタイヤ幅方向に移動させる工程を含むことを特徴とする、ステッチング方法。
【請求項１２】
ステッチング動作中におけるタイヤ中間体のタイヤ径方向に移動可能な支持部を前記タイヤ中間体のタイヤ径方向に移動させながら、一方側が前記支持部に配置された支点部分に連結され、前記支点部分を中心として回転運動可能なアームの他方側に連結された、ステッチング部分のステッチング治具によって、前記タイヤ中間体にタイヤ構成部材を圧着するステッチング方法であって、
ステッチング動作中に、前記支点部分と前記ステッチング部分とが、ステッチング動作中における前記タイヤ中間体のタイヤ赤道面を境界として互いに反対側に位置することを特徴とする、ステッチング方法。
【請求項１３】
ステッチング動作中に、前記支点部分と前記ステッチング部分とが、ステッチング動作中における前記タイヤ中間体のタイヤ赤道面を境界として互いに反対側に位置する、請求項１１に記載のステッチング方法。
【請求項１４】
ステッチング動作中に、前記支点部分と前記ステッチング部分とが、ステッチング動作中における前記タイヤ中間体のタイヤ赤道面を境界とした同一側に位置する、請求項１１に記載のステッチング方法。
【請求項１５】
同一軸上に配置された２つの前記支点部分を、該同一軸上で移動させる工程を含む、請求項１１〜１４のいずれか一項に記載のステッチング方法。
【請求項１６】
異なる２つの軸上に配置された２つの前記支点部分を、それぞれ前記異なる軸上で移動させる工程を含む、請求項１１〜１４のいずれか一項に記載のステッチング方法。
【請求項１７】
ステッチング動作中において、前記ステッチング治具が前記タイヤ中間体の前記サイドウォール部の所定の位置での表面に垂直な方向から圧着可能となるように、前記支点部分を前記タイヤ中間体の所定のタイヤ幅方向位置に移動させる工程を含む、請求項１１〜１６のいずれか一項に記載のステッチング方法。
【請求項１８】
ステッチング動作中において、前記タイヤ中間体の所定のタイヤ幅方向位置に固定させる工程を含む、請求項１１〜１７のいずれか一項に記載のステッチング方法。
【請求項１９】
前記支点部分を基準として前記ステッチング部分の反対側に配置された変位付与部を動作させることにより、前記アームを、前記支点部分を中心として回転運動させる工程を含み、
前記支点部分から前記ステッチング部分までの前記アームの長さは、前記支点部分から前記変位付与部までの前記アームの長さより長い、請求項１１〜１８のいずれか一項に記載のステッチング方法。
【請求項２０】
前記アームは、ステッチング動作中における前記タイヤ中間体の外輪郭に沿って屈曲した形状である、請求項１１〜１９のいずれか一項に記載のステッチング方法。
【発明の詳細な説明】
【技術分野】
【０００１】
本発明は、ステッチング装置及びステッチング方法に関するものである。
【背景技術】
【０００２】
従来、タイヤ成形ドラムに固定されたタイヤ中間体を回転させながら、トレッドバンド等の帯状のタイヤ構成部材を圧着するステッチング装置が提案されている（例えば特許文献１参照）。特に、タイヤ中間体の側面に予め形成された折り返し部を圧着させる際には、タイヤ中間体の側面部であるサイドウォール部に垂直に近い角度でステッチングローラを押圧して帯状のタイヤ構成部材の内部のエアを十分に排出することが望ましい。なお、本明細書において、「タイヤ中間体」とは、未加硫のタイヤ構成部材を貼り付けて成形したものをいう。【０００３】
これに対し、図１に示すように、上下運動する支持部８１と、支持部８１の支点部分８２に連結された、回転運動するアーム８３とを有し、該アーム８３の先端にステッチングローラ８４が取り付けられた、ステッチング装置８０が提案されている。【０００４】
しかしながら、図１において二点鎖線で示すように、このステッチング装置８０は、特に、支持部８１が上側（タイヤ中間体８５から遠ざかる側）に移動した際に、ステッチングローラ８４がタイヤ中間体８５のサイドウォール部８６に当接する角度が、垂直から大きく遠ざかるという問題があった。
一方で、図２に示すように、タイヤ中間体９０のタイヤ赤道面ＣＬを中心とするタイヤ幅方向両側のステッチング部分９２が、それぞれ独立に上下運動、水平方向の運動、及び回転運動可能であることにより、ステッチング部分９２がタイヤ中間体９０のサイドウォール部９１に垂直に押圧できるようにする手法も提案されている。
【先行技術文献】
【特許文献】
【０００５】
【特許文献１】特開昭５８−４２４４４号公報
【発明の概要】
【発明が解決しようとする課題】
【０００６】
しかしながら、図２に示すような装置では、ステッチング部分９２の様々な方向の運動を可能とするために複雑な機構が必要となり、装置が大掛かりとなって製造コストが高くなるという問題があったため、より簡素な手法が希求されている。【０００７】
本発明は、上記の課題を解決すべくなされたものであり、その目的は、ステッチング治具をタイヤ中間体の所定の表面部分に対して垂直な方向に押圧することが可能なステッチング装置及ステッチング方法を提供することにある。
【課題を解決するための手段】
【０００８】
本発明者は、上記の課題を解決すべく鋭意検討を重ねた。その結果、上下運動（タイヤ中間体のタイヤ径方向の運動）する支持部の支点部分の水平方向（タイヤ中間体のタイヤ幅方向）位置に関する工夫により、上記した目的を達成することができるという新規知見を得て、本発明を完成するに至った。【０００９】
本発明の要旨構成は、以下の通りである。
本発明のステッチング装置は、タイヤ中間体にタイヤ構成部材を圧着するステッチング装置であって、前記タイヤ中間体のタイヤ径方向に移動可能な支持部と、前記支持部に配置された支点部分と、一方側が前記支点部分に連結され、前記支点部分を中心として回転運動可能なアームと、前記アームの他方側に連結された、ステッチング治具を有するステッチング部分と、を備え、
前記支点部分が、前記タイヤ中間体のタイヤ幅方向に可動であるように構成されたことを特徴とするものである。
ここで、「タイヤ幅方向に可動である」とは、支点部分がステッチング動作中における前記タイヤ中間体のタイヤ幅方向に移動可能であることをいうが、移動可能であり、かつ、固定可能である場合も含まれる。
また、アームの「一方側」及び「他方側」とは、アームの一方側及び他方側の端部の場合や、該端部より内側の場合を含むものとする。【００１０】
本発明のステッチング装置は、タイヤ中間体にタイヤ構成部材を圧着するステッチング装置であって、前記タイヤ中間体のタイヤ径方向に移動可能な支持部と、前記支持部に配置された支点部分と、一方側が前記支点部分に連結され、前記支点部分を中心として回転運動可能なアームと、前記アームの他方側に連結された、ステッチング治具を有するステッチング部分と、を備え、
前記支点部分と前記ステッチング部分とが、前記タイヤ中間体のタイヤ赤道面を境界として互いに反対側に位置するように構成されたことを特徴とするものである。【００１１】
本発明のステッチング方法は、ステッチング動作中におけるタイヤ中間体のタイヤ径方向に移動可能な支持部を前記タイヤ中間体のタイヤ径方向に移動させながら、一方側が前記支持部に配置された支点部分に連結され、前記支点部分を中心として回転運動可能なアームの他方側に連結された、ステッチング部分のステッチング治具によって、前記タイヤ中間体にタイヤ構成部材を圧着するステッチング方法であって、
前記支点部分をステッチング動作中における前記タイヤ中間体のタイヤ幅方向に移動させる工程を含むことを特徴とする。
ここで、「ステッチング動作中」とは、タイヤ中間体にステッチングをする場合のみならず、タイヤ中間体をセットする動作も含むものとする。【００１２】
本発明のステッチング方法は、ステッチング動作中におけるタイヤ中間体のタイヤ径方向に移動可能な支持部を前記タイヤ中間体のタイヤ径方向に移動させながら、一方側が前記支持部に配置された支点部分に連結され、前記支点部分を中心として回転運動可能なアームの他方側に連結された、ステッチング部分のステッチング治具によって、前記タイヤ中間体にタイヤ構成部材を圧着するステッチング方法であって、
ステッチング動作中に、前記支点部分と前記ステッチング部分とが、ステッチング動作中における前記タイヤ中間体のタイヤ赤道面を境界として互いに反対側に位置することを特徴とする。
【発明の効果】
【００１３】
本発明によれば、ステッチング治具をタイヤ中間体の所定の表面部分に対して垂直な方向に押圧することが可能なステッチング装置及ステッチング方法を提供することができる。
【図面の簡単な説明】
【００１４】
【図１】従来のステッチング装置の一例を示す図である。
【図２】従来のステッチング装置の他の例を示す図である。
【図３】本発明の第一の実施形態にかかるステッチング装置を示す図である。
【図４】本発明の第二の実施形態にかかるステッチング装置を示す図である。
【図５】本発明の第三の実施形態にかかるステッチング装置を示す図である。
【図６】支点部分が異なる軸上を移動可能である例を示す図である。
【図７】変位付与部の作用について説明するための図である。
【発明を実施するための形態】
【００１５】
以下、本発明の実施形態について、図面を参照して詳細に例示説明する。
【００１６】
＜ステッチング装置＞
図３は、本発明の第一の実施形態にかかるステッチング装置を示す図である。このステッチング装置は、タイヤ中間体にタイヤ構成部材を圧着するものであり、図３は、ステッチング動作中のステッチング装置の正面図（タイヤ中間体の側面図）である。
【００１７】
図３に示すように、このステッチング装置１は、ステッチング動作中におけるタイヤ中間体２のタイヤ径方向に移動可能な支持部３と、支持部３に配置された支点部分４と、を有している。図示例では、ステッチング装置１は、ステッチングの対象となるタイヤ中間体２のタイヤ径方向外側に設置されており、この状態において、支持部３は、（軸３ａごと）タイヤ径方向に往復移動することができる。また、図示例で、このステッチング装置１は、支持部３に支点部分４を２つ有している。この支点部分４は、図示例で、タイヤ中間体２のタイヤ赤道面ＣＬを境界とした対称な位置に１つずつ配置されている。また、支持部３は、軸３ａに連結されており、この軸３ａは、図示例で、タイヤ中間体２のタイヤ幅方向に延在しており、この延在方向を回転軸として回転可能である。
【００１８】
また、図３に示すように、このステッチング装置１は、一方側が支点部分４に連結され、支点部分４を中心として回転運動（この側面視における平面上の回転運動）可能なアーム５と、アーム５の他方側に連結された、ステッチング治具（この例では回転式のステッチングローラ）６ａを有するステッチング部分６と、を備えている。なお、ステッチング治具は、回転式のステッチングローラ以外にも、回転しないタイプのものや、その他の既知のものを用いることができる。ステッチングローラ６ａは、アーム５の延在方向を軸とした回転が可能であるように構成され、このステッチングローラ６ａが回転しながら、タイヤ周方向に回転するタイヤ中間体２にタイヤ構成部材を圧着することにより、ステッチング動作がなされる。
【００１９】
ここで、第一の実施形態のステッチング装置１は、支点部分４が、ステッチング動作中におけるタイヤ中間体２のタイヤ幅方向に可動であるように構成されたことを特徴とするものである。
図３に示す例では、軸３ａが軸３ａの延在方向を軸として回転することにより、支持部３ごと支点部分４がこの軸３ａ上を移動するように構成されている。なお、支点部分４を可動とする方法は、この例に限らず、例えば、軸３ａにスライド溝を設け、支持部３に該スライド溝に嵌合する凸部とによるスライド機構を設けることにより、支点部分４をタイヤ中間体２のタイヤ幅方向に可動とすることもできる。あるいは、例えば、支点部分４は、固定された支持部３に対してタイヤ中間体２のタイヤ幅方向に可動とすることもでき、他にも、支点部分４を、ステッチング動作中におけるタイヤ中間体２のタイヤ幅方向に可動であるように構成する任意の既知の手法を用いることができる。
以下、第一の実施形態の作用効果について説明する。
【００２０】
第一の実施形態のステッチング装置１によれば、図３に２点鎖線で示すように、支持部３がタイヤ中間体２のタイヤ径方向外側に移動した際にも、支点部分４をタイヤ中間体２のタイヤ幅方向内側に移動させることにより、アーム５のタイヤ径方向に対する傾斜角度を大きくすることができ、これにより、ステッチングローラ６ａをタイヤ中間体２のサイドウォール部の表面に対して垂直に近い角度で当接させ、タイヤ構成部材を圧着させることができる。第一の実施形態によれば、支点部分４をタイヤ中間体２のタイヤ幅方向に可動にすることのみによる簡易な手法で、タイヤ構成部材を効果的に圧着させることができる。
そして、支点部分４の位置が可動であることにより、ステッチング動作の前に、タイヤサイズに応じてステッチングローラ６ａがタイヤ中間体２に当接する角度が最適となるように、初期位置を定めることもできる。
【００２１】
図４は、本発明の第二の実施形態にかかるステッチング装置を示す図である。このステッチング装置は、タイヤ中間体にタイヤ構成部材を圧着するものであり、図４は、ステッチング動作中のステッチング装置の正面図（タイヤ中間体の側面図）である。
【００２２】
図３に示す第一の実施形態と同様に、このステッチング装置１は、ステッチング動作中におけるタイヤ中間体２のタイヤ径方向に移動可能な支持部３と、支持部３に配置された支点部分４と、を有している。図示例では、ステッチング装置１は、ステッチングの対象となるタイヤ中間体２のタイヤ径方向外側に設置されており、この状態において、支持部３は、タイヤ径方向に往復移動することができる。また、図示例で、このステッチング装置１は、支持部３に支点部分４を２つ有している。この支点部分４は、図示例で、タイヤ中間体２のタイヤ赤道面ＣＬを境界とした対称な位置に１つずつ配置されている。また、支持部３は、軸３ｂに連結されている。
【００２３】
また、第一の実施形態と同様に、このステッチング装置１は、一方側が支点部分４に連結され、支点部分４を中心として回転運動（この側面視における平面上の回転運動）可能なアーム５と、アーム５の他方側に連結された、ステッチングローラ６ａを有するステッチング部分６と、を備えている。ステッチングローラ６ａは、アーム５の延在方向を軸とした回転が可能であるように構成され、このステッチングローラ６ａが回転しながら、タイヤ周方向に回転するタイヤ中間体２にタイヤ構成部材を圧着することにより、ステッチング動作がなされる。
【００２４】
ここで、第二の実施形態のステッチング装置１は、支点部分４とステッチング部分６とが、ステッチング動作中におけるタイヤ中間体２のタイヤ赤道面ＣＬを境界として互いに反対側に位置するように構成されたことを特徴とするものである。すなわち、２つのアーム５が互いに交差するように配置されている。
以下、第二の実施形態の作用効果について説明する。
【００２５】
第二の実施形態のステッチング装置１によれば、支点部分４が、アーム５を介して連結されるステッチングローラ６ａとタイヤ赤道面ＣＬを境界とした反対側に位置するため、アーム５のタイヤ径方向に対する傾斜角度をより大きくすることができ、これにより、ステッチングローラ６ａをタイヤ中間体２の表面に対して垂直に近い角度で当接させ、タイヤ構成部材を圧着させることができる。さらに、第二の実施形態によれば、支点部分４からステッチング部分６までのアーム５の長さを長くすることができるため、ステッチングローラ６ａをタイヤ中間体２のサイドウォール部に当接させやすくなる。第二の実施形態によれば、支点部分の位置を上記の位置とすることのみによる簡易な手法で、タイヤ構成部材を効果的に圧着させることができる。
【００２６】
図５は、本発明の第三の実施形態にかかるステッチング装置を示す図である。このステッチング装置は、タイヤ中間体にタイヤ構成部材を圧着するものであり、図５は、ステッチング動作中のステッチング装置の正面図（タイヤ中間体の側面図）である。
【００２７】
図３に示す第一の実施形態と同様に、第三の実施形態のこのステッチング装置１は、ステッチング動作中におけるタイヤ中間体２のタイヤ径方向に移動可能な支持部３と、支持部３に配置された支点部分４と、を有している。図示例では、ステッチング装置１は、ステッチングの対象となるタイヤ中間体２のタイヤ径方向外側に設置されており、この状態において、支持部３は、タイヤ径方向に往復移動することができる。また、図示例で、このステッチング装置１は、支持部３に支点部分４を２つ有している。この支点部分４は、図示例で、タイヤ中間体２のタイヤ赤道面ＣＬを境界とした対称な位置に１つずつ配置されている。また、支持部３は、タイヤ中間体２の周方向と同じ方向に回転可能な軸３ａに連結されている。
【００２８】
また、第一及び第二の実施形態と同様に、このステッチング装置１は、一端が支点部分４に連結され、支点部分４を中心として回転運動（この側面視における平面上の回転運動）可能なアーム５と、アーム５の他端に連結された、ステッチングローラ６ａを有するステッチング部分６と、を備えている。ステッチングローラ６ａは、アーム５の延在方向を軸とした回転が可能であるように構成され、このステッチングローラ６ａが回転しながら、タイヤ周方向に回転するタイヤ中間体２にタイヤ構成部材を圧着することにより、ステッチング動作がなされる。
【００２９】
さらに、図５に示すように、このステッチング装置１では、支点部分４とステッチング部分６とが、ステッチング動作中におけるタイヤ中間体２のタイヤ赤道面ＣＬを境界として互いに反対側に位置するように構成されている。すなわち、２つのアーム５が互いに交差するように配置されている。
【００３０】
上記のように、図５に示す第三の実施形態のステッチング装置１は、支点部分４が、ステッチング動作中におけるタイヤ中間体２のタイヤ幅方向に可動であるように構成され、かつ、支点部分４とステッチング部分６とが、ステッチング動作中におけるタイヤ中間体２のタイヤ赤道面ＣＬを境界として互いに反対側に位置するように構成されたことを特徴とするものである。
以下、第三の実施形態の作用効果について説明する。
【００３１】
第三の実施形態によれば、まず、第二の実施形態の場合と同様に、支点部分４が、アーム５を介して連結されるステッチングローラ６ａとタイヤ赤道面ＣＬを境界とした反対側に位置するため、アーム５のタイヤ径方向に対する傾斜角度をより大きくすることができ、さらに、第一の実施形態の場合と同様に、支点部分４がタイヤ中間体２のタイヤ幅方向に可動であるため、アーム５のタイヤ径方向に対する傾斜角度をより大きくすることができる。従って、第三の実施形態によれば、より一層、ステッチングローラ６ａをタイヤ中間体２の表面に垂直に近い角度で圧着させることができる。また、第一の実施形態と同様に、支点部分４の位置が可動であることにより、ステッチング動作の前に、タイヤサイズに応じてステッチングローラ６ａがタイヤ中間体２に当接する角度が最適となるように位置させることができる。さらに、第二の実施形態と同様に、支点部分４からステッチング部分６までのアーム５の長さを長くすることができるため、ステッチングローラ６ａをタイヤ中間体２のサイドウォール部に当接させやすくなる。
【００３２】
なお、本発明においては、図３に示した第一の実施形態のように、タイヤ中間体２のタイヤ幅方向に可動な支点部分４を、アーム５を介して連結されるステッチング部分６とタイヤ赤道面ＣＬを境界とする同一側に配置してもよく、この場合でもタイヤ中間体２のサイドウォール部のタイヤ径方向最内側から最外側までの部分に、ステッチングローラ６ａが当接できるようにアーム５の長さを設定すれば良い。
【００３３】
ここで、図３、図５にそれぞれ示した、第一及び第三の実施形態においては、２つの支点部分４が、同一の軸（軸３ａ）上に配置されている。そして、支点部分４は、この軸３ａ上を可動となっており、軸３ａが回転することにより、２つの支点部分４を連動させて軸３ａ上をタイヤ中間体２のタイヤ幅方向に対称に移動させることができる。従って、簡素な手法により、支点部分４をタイヤ中間体２のタイヤ幅方向に可動とすることができる。
【００３４】
一方で、図６に示すように、２つの支持部３に配置された支点部分４が、それぞれ異なる軸（軸３ａ）上に配置され、支点部分４が、それぞれ異なる軸（軸３ａ）上で可動となるように構成することもできる。これによれば、支点部分４は、タイヤ中間体２のタイヤ幅方向において、より広範囲に移動することができる。
なお、図６に示すように、２つの軸３ａの回転を、回転ベルト７を用いて同期させることが好ましい。２つの支点部分４を連動させて、タイヤ中間体２のタイヤ幅方向に対称に移動させることができるからである。また、回転ベルト７による２つの軸３ａの連結を解除することにより、片側のアーム５のみを移動させたり、２つのステッチング部分を連動させずにステッチング動作を行ったりすることもできる。なお、回転ベルト７の代わりに歯車（ギア）を用いて２つの軸３ａの回転を同期させてもよい。
【００３５】
ここで、本発明のステッチング装置においては、所定の場合において、支点部分４が、ステッチング動作中において、ステッチングローラ６ａがタイヤ中間体２のサイドウォール部の表面に垂直な方向から圧着可能となるように、タイヤ中間体２の所定のタイヤ幅方向位置に移動可能であるように構成されていることが好ましい。
特に、サイドウォール部の折り返し部の位置がタイヤ径方向のより外側に位置するＳＵＶ（多目的スポーツ車）サイズのタイヤにおいては、サイドウォール部のタイヤ径方向外側においても、ステッチングローラ６ａをサイドウォール部表面に垂直に近い角度で圧着させることが必要となるため、それが可能であるように、支点部分４がタイヤ中間体２の所定のタイヤ幅方向位置に移動可能であることが好ましいからである。
【００３６】
また、本発明のステッチング装置においては、別の所定の場合において、支点部分４が、ステッチング動作中におけるタイヤ中間体２の所定のタイヤ幅方向位置に固定されるように構成されていることが好ましい。
サイドウォール部の折り返し部分の高さがさほど高くないタイヤサイズのタイヤについては、支点部分４を固定して、垂直からある程度傾斜した角度でステッチングしても十分であるため、簡素な動作で済むからである。
【００３７】
さらに、本発明のステッチング装置においては、図７に示すように、アーム５を回転させるための変位付与部（シリンダ）８をさらに有し、変位付与部８が、支点部分４を基準としてステッチング部分６の反対側に配置され、支点部分４からステッチング部分６までのアーム５の長さは、支点部分４から変位付与部８までのアーム５の長さより長いことが好ましい。
これにより、変位付与部８により、アーム５の支点部分４を基準とする一方側に小さな変位を与えるだけで、モーメントの作用により、アーム５の他方側を大きく変位させることができるため、より小さな回転方向の変位でアーム５により大きな回転運動を与えることができるからである。
【００３８】
また、図７に示すように、アーム５は、ステッチング動作中におけるタイヤ中間体２の外輪郭に沿って屈曲した形状であることが好ましい。
タイヤ中間体２とアーム５とが干渉してしまうのを避けることができるからである。
なお、「屈曲」とは、図７に示すような湾曲形状や、図５に示すような、屈曲点５ａを有した屈曲形状や、円弧形状、凸形状など、タイヤ中間体２との干渉を避けることのできる様々な形状を含むものとする。
【００３９】
ここで、本発明のステッチング装置１において、アーム５の長さは、支持部３がタイヤ中間体２のタイヤ径方向最内側位置に位置した際に、ステッチング部分６がタイヤ中間体２のステッチング対象部分のタイヤ径方向最内側位置に届く長さとすることが好ましい。支点部分４のタイヤ中間体２のタイヤ幅方向への移動を１軸又は２軸による簡易な手法で実現することができるからである。
一方で、ステッチング装置１を小型化するという観点からは、アーム５の長さは、タイヤ中間体２のタイヤ幅方向最大長さの２倍以下とすることが好ましい。
【００４０】
＜ステッチング方法＞
まず、本発明の第一の実施形態によるステッチング方法について説明する。
図３に戻って、第一の実施形態によるステッチング方法では、ステッチング動作中におけるタイヤ中間体２のタイヤ径方向に移動可能な支持部３をタイヤ中間体２のタイヤ径方向に移動させながら、一方側が支持部３に配置された支点部分４に連結され、支点部分４を中心として回転運動可能なアーム５の他方側に連結された、ステッチング部分６のステッチングローラ６ａによって、タイヤ中間体２にタイヤ構成部材を圧着する。
そして、支持部３をタイヤ中間体２のタイヤ径方向に移動させるに伴い、支点部分４をステッチング動作中におけるタイヤ中間体２のタイヤ幅方向に移動させる。特に、図３に実線と二点鎖線とで示すように、支持部３をタイヤ中間体２のタイヤ径方向外側に移動させるにつれ、支点部分４を図示例では支持部３ごと、タイヤ中間体２のタイヤ幅方向内側に近づける。
【００４１】
本発明の第一の実施形態にかかるステッチング方法によれば、アーム５のタイヤ径方向に対する傾斜角度を大きくすることができ、これにより、ステッチングローラ６ａをタイヤ中間体２のサイドウォール部の表面に対して垂直に近い角度で当接させ、上述したのと同様に、ステッチングローラ６ａを回転させながら、タイヤ周方向に回転するタイヤ中間体２にタイヤ構成部材を圧着させることができる。第一の実施形態のステッチング方法によれば、支点部分４をタイヤ中間体２のタイヤ幅方向に可動にすることのみによる簡易な手法で、タイヤ構成部材を効果的に圧着させることができる。
そして、支点部分４の位置が可動であることにより、ステッチング動作の前に、タイヤサイズに応じてステッチングローラ６ａがタイヤ中間体２に当接する角度が最適となるように、初期位置を定めることもできる。
【００４２】
次に、本発明の第二の実施形態にかかるステッチング方法について説明する。
図４に戻って、第二の実施形態によるステッチング方法では、ステッチング動作中におけるタイヤ中間体２のタイヤ径方向に移動可能な支持部３をタイヤ中間体２のタイヤ径方向に移動させながら、一方側が支持部３に配置された支点部分４に連結され、支点部分４を中心として回転運動可能なアーム５の他方側に連結された、ステッチング部分６のステッチングローラ６ａによって、タイヤ中間体２にタイヤ構成部材を圧着する。
そして、ステッチング動作中に、支点部分４とステッチング部分６とが、ステッチング動作中におけるタイヤ中間体２のタイヤ赤道面ＣＬを境界として互いに反対側に位置する。
これにより、支点部分４が、アーム５を介して連結されるステッチングローラ６ａとタイヤ赤道面ＣＬを境界とした反対側に位置するため、アーム５のタイヤ径方向に対する傾斜角度をより大きくすることができ、これにより、ステッチングローラ６ａをタイヤ中間体２の表面に対して垂直に近い角度で当接させ、タイヤ構成部材を圧着させることができる。さらに、第二の実施形態のステッチング方法によれば、支点部分４からステッチング部分６までのアーム５の長さを長くすることができるため、ステッチングローラ６ａをタイヤ中間体２のサイドウォール部に当接させやすくなる。第二の実施形態のステッチング方法によれば、支点部分４の位置を上記の位置とすることのみによる簡易な手法で、タイヤ構成部材を効果的に圧着させることができる。
【００４３】
次に、本発明の第三の実施形態にかかるステッチング方法について説明する。
図５に戻って、第三の実施形態によるステッチング方法では、基本的には、図３に示す第一の実施形態と同様の動作を行うものであるが、ステッチング動作中に、支点部分４とステッチング部分６とが、ステッチング動作中におけるタイヤ中間体２のタイヤ赤道面ＣＬを境界として互いに反対側に位置する。
そして、支持部３をタイヤ中間体２のタイヤ径方向に移動させるに伴い、支点部分４をステッチング動作中におけるタイヤ中間体２のタイヤ幅方向に移動させる。特に、図５に実線と二点鎖線とで示すように、支持部３をタイヤ中間体２のタイヤ径方向外側に移動させるにつれ、支点部分４を図示例では支持部３ごと、タイヤ中間体２のタイヤ幅方向内側に近づける。
【００４４】
第三の実施形態によるステッチング方法によれば、支点部分４がタイヤ中間体２のタイヤ幅方向に可動であることと、支点部分４が、アーム５を介して連結されるステッチングローラ６ａとタイヤ赤道面ＣＬを境界とした反対側に位置することとの両方の効果により、アーム５のタイヤ径方向に対する傾斜角度を大きくすることができ、これにより、ステッチングローラ６ａをタイヤ中間体２のサイドウォール部の表面に対して垂直に近い角度で当接させることができる。これにより、ステッチングにおいて、タイヤ径方向の最内側位置からタイヤ径方向の最外側位置にかけて、常に垂直に近い角度でステッチングローラ６ａをタイヤ中間体２に当接させることができる。また、支点部分４からステッチング部分６までのアーム５の長さを長くすることができるため、ステッチングローラ６ａをタイヤ中間体２のサイドウォール部に当接させやすくなる。従って、ステッチングローラ６ａを回転させながら、タイヤ周方向に回転するタイヤ中間体２にタイヤ構成部材を圧着させることができる。
さらに、支点部分４の位置が可動であることにより、ステッチング動作の前に、タイヤサイズに応じてステッチングローラ６ａがタイヤ中間体２に当接する角度が最適となるように、初期位置を定めることもできる。
【００４５】
なお、本発明のステッチング方法においては、図３に示すように、ステッチング動作中に、支点部分４とステッチング部分６とが、ステッチング動作中におけるタイヤ中間体２のタイヤ赤道面ＣＬを境界とした同一側に位置するようにしてもよく、この場合でもタイヤ中間体２のサイドウォール部のタイヤ径方向最内側から最外側までの部分に、ステッチングローラ６ａが当接できるようにアーム５の長さを設定すれば良い。
【００４６】
また、本発明のステッチング方法にあっては、同一軸（図３、図５の軸３ａ）上に配置された２つの支点部分４を、該同一軸上で移動させる工程を含むことが好ましい。支点部分４は、この軸３ａ上を可動となっており、軸３ａが回転することにより、２つの支点部分４を連動させて軸３ａ上をタイヤ中間体２のタイヤ幅方向に対称に移動させることができるからである。従って、簡素な手法により、支点部分４をタイヤ中間体２のタイヤ幅方向に可動とすることができる。
【００４７】
さらに、図６に戻って、本発明のステッチング方法においては、異なる２つの軸上に配置された２つの支点部分４を、それぞれ異なる軸上で移動させる工程を含むことが好ましい。これによれば、支点部分４は、タイヤ中間体２のタイヤ幅方向において、より広範囲に移動することができる。
なお、本発明のステッチング方法では、図６に示すように、２つの軸３ａの回転を、回転ベルト７を用いて同期させることが好ましい。２つの支点部分４を連動させて、タイヤ中間体２のタイヤ幅方向に対称に移動させることができるからである。また、回転ベルト７による２つの軸３ａの連結を解除することにより、片側のアーム５のみを移動させたり、２つのステッチング部分を連動させずにステッチング動作を行ったりすることもできる。なお、回転ベルト７の代わりに歯車（ギア）を用いて２つの軸３ａの回転を同期させてもよい。
【００４８】
ここでまた、本発明のステッチング方法においては、所定の場合において、ステッチング動作中において、ステッチングローラ６ａがタイヤ中間体３のサイドウォール部の所定の位置での表面に垂直な方向から圧着可能となるように、支点部分４をタイヤ中間体２の所定のタイヤ幅方向位置に移動させる工程を含むことが好ましい。
特に、サイドウォール部の折り返し部の位置がタイヤ径方向のより外側に位置するＳＵＶ（多目的スポーツ車）サイズのタイヤにおいては、サイドウォール部のタイヤ径方向外側においても、ステッチングローラ６ａをサイドウォール部表面に垂直に近い角度で圧着させることが必要となるため、それが可能であるように、支点部分４がタイヤ中間体２の所定のタイヤ幅方向位置に移動させることが好ましいからである。
【００４９】
さらに、本発明のステッチング方法では、別の所定の場合において、ステッチング動作中において、タイヤ中間体２の所定のタイヤ幅方向位置に固定させる工程を含むことが好ましい。サイドウォール部の折り返し部分の高さがさほど高くないタイヤサイズのタイヤについては、支点部分４を固定して、垂直からある程度傾斜した角度でステッチングしても十分であるため、簡素な動作で済むからである。
【００５０】
また、本発明のステッチング方法では、支点部分４を基準としてステッチング部分６の反対側に配置された変位付与部（シリンダ）８を動作させることにより、アーム５を、支点部分４を中心として回転運動させる工程を含み、支点部分４からステッチング部分６までのアーム５の長さは、支点部分４から変位付与部８までのアーム５の長さより長いことが好ましい。
これにより、変位付与部８により、アーム５の支点部分４を基準とする一方側に小さな変位を与えるだけで、モーメントの作用により、アーム５の他方側を大きく変位させることができるため、より小さな回転方向の変位でアーム５により大きな回転運動を与えることができるからである。
【００５１】
さらに、本発明のステッチング方法では、アーム５は、ステッチング動作中におけるタイヤ中間体２の外輪郭に沿って屈曲した形状であることが好ましい。上述したように、タイヤ中間体２とアーム５とが干渉してしまうのを避けることができるからである。
【００５２】
以上、本発明の実施形態について説明したが、本発明は、上記の実施形態に何ら限定されるものではなく、種々の変形、変更が可能である。
【符号の説明】
【００５３】
１  ステッチング装置
２  タイヤ中間体
３  支持部
３ａ  軸
３ｂ  軸
４  支点部分
５  アーム
６  ステッチング部分
６ａ  ステッチングローラ
７  回転ベルト
８  変位付与部（シリンダ）
ＣＬ  タイヤ赤道面
【図１】
2015136576.tif 000003
【図２】
2015136576.tif 000004
【図３】
2015136576.tif 000005
【図４】
2015136576.tif 000006
【図５】
2015136576.tif 000007
【図６】
2015136576.tif 000008
【図７】
2015136576.tif 000009
【国際調査報告】
2015136576.tif 000010
2015136576.tif 000011
2015136576.tif 000012
2015136576.tif 000013